(57)【要約】      （修正有）【課題】こめかみと首を左右から指圧できる専用の指圧器であり、指圧の強弱の調整が可能である、指圧個所を”もみもみ”もできる指圧器を提供する。【解決手段】下端の連結部４と、連結部で連結されて左右にＵ字形に張り出すアーム３と、左右のアーム１，２の上部に互いの方向に向かって進退する水平な指圧棒５とを備えて指圧器を構成する。さらに、連結部の調整でアームの角度を変えて指圧棒を指圧部位に合せ、指圧棒５を進退させて指圧力を微調整するとともに、連結部４を手で揺することで指圧時に”もみもみ”を可能にする。【選択図】図１
0003167228.tif 000002
【実用新案登録請求の範囲】
【請求項１】
下端の連結部と、連結部で連結されて左右にＵ字形に張り出すアームと、左右のアームの上部に互いの方向に向かって進退する水平な指圧棒とを有する指圧器であり、連結部の調整でアームの角度を変えて指圧棒を指圧部位に合せ、指圧棒を進退させて指圧力を微調整するとともに、連結部を手で揺することで指圧時に" もみもみ”が可能な指圧器。
【請求項２】
連結部にアームに連続して形成されたフエースギアが形成された一対の合わせ面が設けられており、合わせ面同士を合わせてボルトとナットで左右のアームの角度を調整可能に固定できる請求項１の指圧器。
【請求項３】
アームの上端に内周にネジが形成されたネジ孔を有する円筒ボックスが設けられ、円筒ボックスに外周にネジが形成された指圧棒がネジ込まれている請求項１又は２の指圧棒。
【考案の詳細な説明】
【技術分野】
【０００１】
本考案は、こめかみと首を専用に指圧する指圧器に関するものである。
【背景技術】
【０００２】
動力を不要とする指圧器は種々のものがあるが、普通は指圧突起が一部にだけ設けられたものであり、これを手で押して指圧をするものである。そして、その指圧力（押圧力）は手の押し加減で調整するものであった。一般に、指圧を施す身体の部位（ツボ）は身体の左右二カ所にあると言われており、この目的に沿って下記特許文献に示すように二カ所に突起が設けられているものがあり、この突起の間隔が調整できるようになっているものもある。
【０００３】
特許文献１がそうであるが、この文献記載の発明は腰部の指圧器であり、他人が操作して（押して）指圧を施すものである。また、特許文献２のものは、腰に巻くバンド状の腰部の指圧器であるが、二つの突起の間に突起の離反間隔を規制するとともに、バンドの弾性強さを調整する中央固定金具を設けたものである。しかし、この文献には二つの突起の間隔が調整できるとは記されていない。
【先行技術文献】
【特許文献】
【０００４】
【特許文献１】実開昭６３−０４６１４１号公報
【特許文献２】特開平１１−２５３５２４号公報
【考案の概要】
【考案が解決しようとする課題】
【０００５】
本考案は、こめかみと首のコリをほぐすために使用される専用の指圧器であり、指圧棒の間隔が調整と微調整の二段階で調整できるようになっており、体格や年齢（子供や大人）に関係なく、誰でも簡単に使用できるものである。同時に、指圧しながら揉む、所謂”もみもみ”ができるのが特徴である。
【課題を解決するための手段】
【０００６】
以上の課題の下、本考案は、請求項１に記載した、下端の連結部と、連結部で連結されて左右にＵ字形に張り出すアームと、左右のアームの上部に互いの方向に向かって進退する水平な指圧棒とを有する指圧器であり、連結部の調整でアームの角度を変えて指圧棒を指圧部位に合せ、指圧棒を進退させて指圧力を微調整するとともに、連結部を手で揺することで指圧時に" もみもみ”が可能な指圧器。
【０００７】
加えて、この指圧器において、請求項２に記載した、連結部にアームに連続して形成されたフエースギアが形成された一対の合わせ面が設けられており、合わせ面同士を合わせてボルトとナットで左右のアームの角度を調整可能に固定できる構成、請求項３に記載した、アームの上端に内周にネジが形成されたネジ孔を有する円筒ボックスが設けられ、円筒ボックスに外周にネジが形成された指圧棒がネジ込まれている構成を提供する。
【考案の効果】
【０００８】
本考案によると、連結部の調整でアームの角度を変えて指圧棒を指圧部位に合せることができるとともに、これにおいて体格や年齢を問わないし、実際に指圧をするときは、指圧棒を進退させることで、指圧力を強弱に調整できる。また、指圧しながら連結部を手で前後、左右に揺することで指圧時に" もみもみ”が可能になる。さらに、何かしながらでも指圧できるし、使用場所も屋内、屋外を問わない。
【図面の簡単な説明】
【０００９】
【図１】本考案の指圧器の正面図である。
【図２】本考案の指圧器を分解した状態の側面図である。
【図３】本考案の指圧器を組み立てた状態の一部側面図である。
【図４】連結部の要部の正面図である。
【図５】本考案の指圧器の使用方法を示す説明図である。
【考案を実施するための形態】
【００１０】
以下、本考案の実施の形態を図面を参照して説明する。図１は指圧器の正面図、図２は左右のアームを分割した状態の側面図、図３は連結部の要部の側面図であるが、この指圧器は、左アーム１と右アーム２とで約２２ｃｍの高さで上端がややすぼまったＵ字形を形成するアーム３と、アーム３の下端を連結する連結部４と、左右のアーム１、２の上部に横方向に挿入される指圧棒５、６とからなる。この場合、左右アーム１、２を平行にしたときの外端間長さは約１３ｃｍとなる。なお、左右のアーム１、２は樹脂等で構成された直径約２ｃｍの円筒形をしており、上端にやや径大の円筒ボックス７がアーム１、２が同芯に形成されている。
【００１１】
円筒ボックス７は内周にネジが形成されたネジ孔８を有しており、このネジ孔８に上記した指圧棒５、６がネジ込まれる。したがって、指圧棒５、６の外周には上記したネジに螺合できるネジも形成されており、右又は左に回すと円筒ボックス７に対して進退（前進、後退）する。これにより、指圧力を強弱に調整するのである。指圧棒は，直径が約１．８ｃｍで長さは約５ｃｍをしている同じく樹脂製であるが、身体に当たる先端は半球状をしている。
【００１２】
連結部４における左右のアーム１、２の下端は約半分の厚みを有する円形をしており、各々の中心に後述するボルト通し孔（以下、通し孔）９、１０を有している。なお、一方の（使用したときの裏面が好ましい）通し孔１０はネジが形成されたネジ孔１０になっている（ネジ孔１０の長さが短い場合は図示しないナットを連続させてもよい）。さらに、通し孔９、１０の周囲には放射状にフエースギア１１、１２が形成されており、互いに噛み合うようになっている。
【００１３】
そこで、フェースギア１１、１２を合せ、通し孔９、１０にボルト１３を通してネジ孔１０にねじ込むと、フエースギア１１、１２が噛み合い、アーム３の姿勢（開き）は固定する。ただし、フェースギア１１、１２の噛合せを変えることでアーム３の開き具合、すなわち、指圧棒５、６の間隔は変わるようになっている。この調整幅はフェースギア１１、１２のピッチを調整することで、どのようにも設定できる。なお、ボルト１３は工具等を必要としない蝶ボルトが好ましい。
【００１４】
次に、以上の指圧器の使用方法について説明するが、図４はその説明図である。この指圧器はこみかみと首専用のものであることは上述したが、まず、指圧を施そうとする個所（本例ではこめかみ）の間隔（幅）に大体合うように、フェースギア１１、１２の噛合せを決定し、ボルト１３を締めて固定する。そして、指圧棒５、６をこめかみに当て、左右の指圧棒５、６を回転させて自分の好みの指圧力に調整する。つまり、指圧棒５、６を押し出せば強くなるし、引き戻せば弱くなるのである。要するに、指圧力を自分の好みに最適に設定できるのが特徴である。
【００１５】
これで指圧ができるのであるが、より指圧の効果が上がるのは、この状態で”もみもみ”をさせることである。具体的には、連結部４を手で握り、前後や左右に揺することであり、これにより、指圧棒６、６を中心に”もみもみ”ができる。一方、外すときには、指圧棒５，６を引っ込めることで容易に外れる。そして、このフェースギア１１、１２の噛合せを一度決定しておくと、同じ部位であれば、次回からこの部分の調整は不要になり、操作が簡単で迅速になる。この指圧器は上述した寸法のもので軽量であるので、何処にでも持ち運びでき、例えば、自動車の中にでも持ち込める。さらに、上述した”もみもみ”は簡単な操作であるから、屋内、屋外を問わず何処でもできるし、何かしながらでもできる。なお、上述の例は指圧個所がこめかみであるが、首であっても同様である。
【符号の説明】
【００１６】
１      左アーム
２      右アーム
３      アーム
４      連結部
５      指圧棒
６      指圧棒
７      円筒ボックス
８      ネジ孔
９      ボルト通し孔
１０    ボルト通し孔
１１    フェースギア
１２    フェースギア
１３    ボルト
【図１】
0003167228.tif 000003
【図２】
0003167228.tif 000004
【図３】
0003167228.tif 000005
【図４】
0003167228.tif 000006
【図５】
0003167228.tif 000007
【手続補正書】
【提出日】平成23年2月7日(2011.2.7)
【手続補正１】
【補正対象書類名】実用新案登録請求の範囲
【補正対象項目名】請求項３
【補正方法】変更
【補正の内容】
【請求項３】
アームの上端に内周にネジが形成されたネジ孔を有する円筒ボックスが設けられ、円筒ボックスに外周にネジが形成された指圧棒がネジ込まれている請求項１又は２の指圧器。